(57)【要約】【課題】ビジュアルコンテンツを配信する配信サービスを利用して受信中の放送に関わるビジュアルコンテンツを可及的に表示する「ラジオ放送受信装置」を提供する。【解決手段】DABの受信中に取得し表示していた受信中DABのビジュアルコンテンツのURLを保存する。DABから当該DABのサービスとサイマル放送の関係にあるFM放送に受信対象放送が切り替わった際に、RadioDNSを利用して受信中FM放送のビジュアルコンテンツのURLを取得できなかった場合には、保存されている受信中FM放送とサイマル放送の関係にあるDABのビジュアルコンテンツのURLからビジュアルコンテンツを取得し表示する。【選択図】図８
2018125781.tif 000002
【特許請求の範囲】
【請求項１】
ラジオ放送を受信する、インターネットに接続可能なラジオ放送受信装置であって、
受信対象放送に設定された放送サービスからコンテンツを受信し受信したコンテンツを出力する受信出力手段と、
前記受信対象放送の受信品質が劣化したときに、当該受信対象放送と同じコンテンツを放送している受信品質が良好な他の放送サービスへの前記受信対象放送の切り替えを行う放送サービスフォロー手段と、
前記受信対象放送が変化したときに、前記インターネットを介して、各放送サービスのビジュアルコンテンツのURLを提供する情報サービスから、当該変化後の受信対象放送に設定されている放送サービスのビジュアルコンテンツのURLを取得し、取得したURLからのビジュアルコンテンツの配信を受けて表示すると共に、当該取得したビジュアルコンテンツのURLを保存するビジュアルコンテンツ表示手段とを有し、
前記ビジュアルコンテンツ表示手段は、前記受信対象放送が変化したときに、前記情報サービスから、当該変化後の受信対象放送に設定されている放送サービスのビジュアルコンテンツのURLを取得できなかった場合に、当該変化後の受信対象放送に設定されている放送サービスと同じコンテンツを放送している他の放送サービスが前記受信対象放送であったときに保存された当該他の放送サービスのビジュアルコンテンツのURLからビジュアルコンテンツの配信を受けて表示することを特徴とするラジオ放送受信装置。
【請求項２】
請求項１記載のラジオ放送受信装置であって、
前記ビジュアルコンテンツ表示手段は、
前記受信対象放送が変化したときに、前記情報サービスから、当該変化後の受信対象放送に設定されている放送サービスのビジュアルコンテンツのURLを取得できた場合に、取得したURLからのビジュアルコンテンツの配信を受けて表示すると共に、当該取得したビジュアルコンテンツのURLを当該変化後の受信対象放送に設定されている放送サービスの識別に対応づけて保存し、
前記放送サービスフォロー手段が、前記受信対象放送を当該受信対象放送と同じコンテンツを放送している受信品質が良好な他の放送サービスに切り替えたときに、当該切り替え後に受信対象放送となった放送サービスの識別を、当該切り替え前に受信対象放送であった放送サービスの識別に対応づけて保存し、
前記受信対象放送が変化したときに、前記情報サービスから、当該変化後の受信対象放送に設定されている放送サービスのビジュアルコンテンツのURLを取得できなかった場合に、当該変化後の受信対象放送に設定されている放送サービスの識別に対応づけられて保存されている他の放送サービスの識別に対応づけられて保存されているビジュアルコンテンツのURLからビジュアルコンテンツの配信を受けて表示することを特徴とするラジオ放送受信装置。
【請求項３】
デジタルラジオ放送とアナログラジオ放送とを受信する、インターネットに接続可能なラジオ放送受信装置であって、
デジタルラジオ放送の放送サービスとアナログラジオ放送の放送サービスのうちの、受信対象放送に設定された放送サービスからコンテンツを受信し受信したコンテンツを出力する受信出力手段と、
前記受信対象放送がデジタルラジオ放送の放送サービスであるときに、当該受信対象放送の受信品質が劣化したときに、当該受信対象放送と同じコンテンツを放送している受信品質が良好な他のデジタルラジオ放送の放送サービスが存在せず、当該受信対象放送と同じコンテンツを放送している受信品質が良好なアナログラジオ放送の放送サービスが存在している場合に、当該受信対象放送と同じコンテンツを放送している受信品質が良好なアナログラジオ放送の放送サービスへの前記受信対象放送の切り替えを行う放送サービスフォロー手段と、
前記受信対象放送がデジタルラジオ放送の放送サービスに変化したときに、前記インターネットを介して、各放送サービスのビジュアルコンテンツのURLを提供する情報サービスから、当該変化後の受信対象放送に設定されている放送サービスのビジュアルコンテンツのURLを取得し、取得したURLからのビジュアルコンテンツの配信を受けて表示すると共に、当該取得したビジュアルコンテンツのURLを保存するビジュアルコンテンツ表示手段とを有し、
前記ビジュアルコンテンツ表示手段は、前記受信対象放送がアナログラジオ放送の放送サービスに変化したときに、前記情報サービスから、当該変化後の受信対象放送に設定されている放送サービスと同じコンテンツを放送しているデジタルラジオ放送の放送サービスが前記受信対象放送であったときに保存された当該デジタルラジオ放送の放送サービスのビジュアルコンテンツのURLからビジュアルコンテンツの配信を受けて表示することを特徴とするラジオ放送受信装置。
【請求項４】
請求項３記載のラジオ放送受信装置であって、
前記デジタルラジオ放送はDAB（Digital Audio Broadcasting）であり、前記アナログラジオ放送はFM放送であることを特徴とするラジオ放送受信装置。
【請求項５】
請求項１、２、３または４記載のラジオ放送受信装置であって、
前記情報サービスは、RadioDNS規格に従ったサービスであることを特徴とするラジオ放送受信装置。
【請求項６】
請求項１、２、３、４または５記載のラジオ放送受信装置であって、
当該ラジオ放送受信装置は自動車に搭載された車載型のラジオ放送受信装置であることを特徴とするラジオ放送受信装置。
【請求項７】
ラジオ放送を受信する、インターネットに接続可能なラジオ放送受信装置において、ビジュアルコンテンツを表示するビジュアルコンテンツ表示方法であって、
受信対象放送に設定された放送サービスからコンテンツを受信し受信したコンテンツを出力するステップと、
前記受信対象放送の受信品質が劣化したときに、当該受信対象放送と同じコンテンツを放送している受信品質が良好な他の放送サービスへの前記受信対象放送の切り替えを行うステップと、
前記受信対象放送が変化したときに、前記インターネットを介して、各放送サービスのビジュアルコンテンツのURLを提供する情報サービスから、当該変化後の受信対象放送に設定されている放送サービスのビジュアルコンテンツのURLの取得を試み、ビジュアルコンテンツのURLを取得できた場合には、取得したURLからのビジュアルコンテンツの配信を受けて表示すると共に、当該取得したビジュアルコンテンツのURLを保存し、ビジュアルコンテンツのURLを取得できなかった場合に、当該変化後の受信対象放送に設定されている放送サービスと同じコンテンツを放送している他の放送サービスが前記受信対象放送であったときに保存された当該他の放送サービスのビジュアルコンテンツのURLからビジュアルコンテンツの配信を受けて表示するステップとを有することを特徴とするビジュアルコンテンツ表示方法。
【発明の詳細な説明】
【技術分野】
【０００１】
本発明は、ラジオ放送受信装置において、受信する放送を、受信中の放送から当該放送と同内容の放送を行っている他の放送に切り替える技術に関するものである。
【背景技術】
【０００２】
ラジオ放送受信装置において、同内容の放送が行われるサイマル放送の関係にある放送間で受信する放送を切り替える技術としては、DAB（Digital Audio Broadcasting）とFM放送とを受信するラジオ放送受信装置において、受信中のDABのサービスの受信品質が劣化したときに、当該DABのサービスとサイマル放送の関係にあるFM放送のステーションに、受信対象を切り替える技術が知られている（たとえば、特許文献１）。
【０００３】
また、ラジオ放送受信装置に、インターネットを介して、ラジオ放送受信装置に当該ラジオ放送受信装置から指定された放送に予め対応づけられているテキストや画像などのビジュアルコンテンツを配信するサービス(たとえば、非特許文献１-３）も知られている。
【先行技術文献】
【特許文献】
【０００４】
【特許文献１】特開２０１３-１２０９６７号公報
【非特許文献】
【０００５】
【非特許文献１】ETSI、 " ETSI TS 103 270 V1.2.1 (2015-09) RadioDNS Hybrid Radio;Hybrid lookup for radio services " 、[online]、 [平成29年1月20日検索]、インターネット＜URL: http://www.etsi.org/deliver/etsi_ts%5C103200_103299%5C103270%5C01.02.01_60%5Cts_103270v010201p.pdf＞
【非特許文献２】ETSI、 " ETSI TS 101 499 V3.1.1 (2015-01) Hybrid Digital Radio (DAB, DRM, RadioDNS);SlideShow; User Application Specification" 、[online]、 [平成29年1月20日検索]、インターネット＜URL: http://www.etsi.org/deliver/etsi_ts/101400_101499/101499/03.01.01_60/ts_101499v030101p.pdf＞
【非特許文献３】ETSI、 " ETSI TS 102 818 V3.1.1 (2015-01) Hybrid Digital Radio (DAB, DRM, RadioDNS);XML Specification for Service and Programme Information (SPI)" 、[online]、 [平成29年1月20日検索]、インターネット＜URL: http://www.etsi.org/deliver/etsi_ts/101400_101499/101499/03.01.01_60/ts_101499v030101p.pdf＞
【発明の概要】
【発明が解決しようとする課題】
【０００６】
上述したサービスを利用して、ラジオ放送受信装置において受信中の放送に関わるビジュアルコンテンツを取得して表示する場合、ラジオ放送受信装置は、サービス側においてビジュアルコンテンツに対応づけられていない放送を受信している期間は、ビジュアルコンテンツを取得し表示を行うことができない。
【０００７】
このため、たとえば、上述のようにDABのサービスと、当該DABのサービスとサイマル放送の関係にあるFM放送のステーションとの間で受信する放送を切替える場合において、サービス側においてDABのサービスにビジュアルコンテンツが対応づけられており、FM放送のステーションにビジュアルコンテンツが対応づけられていないときには、DABのサービスを受信中に取得し表示できていたビジュアルコンテンツを、切替後のFM放送のステーションの受信中、当該FM放送のステーションの放送内容が切替前のDABのサービスの放送内容と同じであるにも関わらずに表示できなくなってしまう。
【０００８】
そこで、本発明は、インターネットを介して放送に対応づけられたテキストや画像などのビジュアルコンテンツを配信するサービスを利用して、受信中の放送に関わるビジュアルコンテンツを可及的に表示することを課題とする。
【課題を解決するための手段】
【０００９】
前記課題達成のために、本発明は、ラジオ放送を受信する、インターネットに接続可能なラジオ放送受信装置に、受信対象放送に設定された放送サービスからコンテンツを受信し受信したコンテンツを出力する受信出力手段と、前記受信対象放送の受信品質が劣化したときに、当該受信対象放送と同じコンテンツを放送している受信品質が良好な他の放送サービスへの前記受信対象放送の切り替えを行う放送サービスフォロー手段と、前記受信対象放送が変化したときに、前記インターネットを介して、各放送サービスのビジュアルコンテンツのURLを提供する情報サービスから、当該変化後の受信対象放送に設定されている放送サービスのビジュアルコンテンツのURLを取得し、取得したURLからのビジュアルコンテンツの配信を受けて表示すると共に、当該取得したビジュアルコンテンツのURLを保存するビジュアルコンテンツ表示手段とを備え、前記ビジュアルコンテンツ表示手段において、前記受信対象放送が変化したときに、前記情報サービスから、当該変化後の受信対象放送に設定されている放送サービスのビジュアルコンテンツのURLを取得できなかった場合に、当該変化後の受信対象放送に設定されている放送サービスと同じコンテンツを放送している他の放送サービスが前記受信対象放送であったときに保存された当該他の放送サービスのビジュアルコンテンツのURLからビジュアルコンテンツの配信を受けて表示するようにしたものである。
【００１０】
ここで、このようなラジオ放送受信装置は、前記ビジュアルコンテンツ表示手段において、前記受信対象放送が変化したときに、前記情報サービスから、当該変化後の受信対象放送に設定されている放送サービスのビジュアルコンテンツのURLを取得できた場合に、取得したURLからのビジュアルコンテンツの配信を受けて表示すると共に、当該取得したビジュアルコンテンツのURLを当該変化後の受信対象放送に設定されている放送サービスの識別に対応づけて保存し、前記放送サービスフォロー手段が、当該受信対象放送を当該受信対象放送と同じコンテンツを放送している受信品質が良好な他の放送サービスに切り替えたときに、当該切り替え後に受信対象放送となった放送サービスの識別を、当該切り替え前に受信対象放送であった放送サービスの識別に対応づけて保存し、前記受信対象放送が変化したときに、前記情報サービスから、当該変化後の受信対象放送に設定されている放送サービスのビジュアルコンテンツのURLを取得できなかった場合に、当該変化後の受信対象放送に設定されている放送サービスの識別に対応づけられて保存されている他の放送サービスの識別に対応づけられて保存されているビジュアルコンテンツのURLからビジュアルコンテンツの配信を受けて表示するように構成してもよい。
【００１１】
また、前記課題達成のために、本発明は、デジタルラジオ放送とアナログラジオ放送とを受信する、インターネットに接続可能なラジオ放送受信装置に、デジタルラジオ放送の放送サービスとアナログラジオ放送の放送サービスのうちの、受信対象放送に設定された放送サービスからコンテンツを受信し受信したコンテンツを出力する受信出力手段と、前記受信対象放送がデジタルラジオ放送の放送サービスであるときに、当該受信対象放送の受信品質が劣化したときに、当該受信対象放送と同じコンテンツを放送している受信品質が良好な他のデジタルラジオ放送の放送サービスが存在せず、当該受信対象放送と同じコンテンツを放送している受信品質が良好なアナログラジオ放送の放送サービスが存在している場合に、当該受信対象放送と同じコンテンツを放送している受信品質が良好なアナログラジオ放送の放送サービスへの前記受信対象放送の切り替えを行う放送サービスフォロー手段と、前記受信対象放送がデジタルラジオ放送の放送サービスに変化したときに、前記インターネットを介して、各放送サービスのビジュアルコンテンツのURLを提供する情報サービスから、当該変化後の受信対象放送に設定されている放送サービスのビジュアルコンテンツのURLを取得し、取得したURLからのビジュアルコンテンツの配信を受けて表示すると共に、当該取得したビジュアルコンテンツのURLを保存するビジュアルコンテンツ表示手段とを備え、前記ビジュアルコンテンツ表示手段において、前記受信対象放送がアナログラジオ放送の放送サービスに変化したときに、前記情報サービスから、当該変化後の受信対象放送に設定されている放送サービスと同じコンテンツを放送しているデジタルラジオ放送の放送サービスが前記受信対象放送であったときに保存された当該デジタルラジオ放送の放送サービスのビジュアルコンテンツのURLからビジュアルコンテンツの配信を受けて表示するようにしたものである。
【００１２】
ここで、このラジオ放送受信装置において、前記デジタルラジオ放送はDAB（Digital Audio Broadcasting）であり、前記アナログラジオ放送はFM放送であってよい。
また、以上のラジオ放送受信装置において、前記情報サービスは、RadioDNS規格に従ったサービスであってもよい。
また、以上のラジオ放送受信装置は自動車に搭載された車載型のラジオ放送受信装置であってよい。
以上のようなラジオ放送受信装置によれば、ラジオ放送受信装置は、情報サービスから受信対象放送のビジュアルコンテンツのURLを取得できない場合には、受信対象放送と同じコンテンツを放送している他の放送サービスが受信対象放送であったときに保存された当該他の放送サービスのビジュアルコンテンツのURL、すなわち、受信対象と同じコンテンツを放送している他の放送サービスのビジュアルコンテンツのURLからビジュアルコンテンツの配信を受けて表示する。
【００１３】
ここで、受信対象放送と同じコンテンツを放送している他の放送サービスのビジュアルコンテンツは、受信対象放送にも関連するビジュアルコンテンツである。
よって、本発明によれば、情報サービスがビジュアルコンテンツのURLを提供していない放送サービスの受信出力中にも、当該放送サービスに関連するビジュアルコンテンツを取得し表示することができる。
【発明の効果】
【００１４】
以上のように、本発明によれば、インターネットを介して放送に対応づけられたテキストや画像などのビジュアルコンテンツを配信するサービスを利用して、受信中の放送に関わるビジュアルコンテンツを可及的に表示することができる。
【図面の簡単な説明】
【００１５】
【図１】本発明の実施形態に係るラジオ放送システムの構成を示すブロック図である。
【図２】本発明の実施形態に係るラジオ放送受信機の構成を示すブロック図である。
【図３】本発明の実施形態に係るサイマル放送管理テーブルを示す図である。
【図４】本発明の実施形態に係るDABフォロー処理を示すフローチャートである。
【図５】本発明の実施形態に係るFM放送フォロー処理を示すフローチャートである。
【図６】本発明の実施形態に係るビジュアルコンテンツ表示処理を示すフローチャートである。
【図７】本発明の実施形態に係るサイマル放送登録処理を示すフローチャートである。
【図８】本発明の実施形態に係るラジオ放送受信機の動作例を示す図である。
【発明を実施するための形態】
【００１６】
以下、本発明の実施形態について説明する。
図１に、本実施形態に係るラジオ放送システムの構成を示す。
図示するように、ラジオ放送受信装置１は、自動車に搭載されるラジオ放送受信装置１であり、放送局２からDAB（Digital Audio Broadcasting）やFM放送を受信する。
また、ラジオ放送受信装置１は、インターネット３に接続する機能を備えている。
そして、DABのサービスとFM放送のステーションを「放送サービス」と総称することとして、インターネット３上には、放送サービス毎に当該放送サービスに関するテキストや画像などのビジュアルコンテンツを配信すると共に、配信するビジュアルコンテンツのビジュアルコンテンツURLの情報を特定のURLで提供するプロバイダサーバ４が配置されている。なお、ビジュアルコンテンツを配信するプロバイダサーバ４と、ビジュアルコンテンツURLの情報を提供するプロバイダサーバ４とは異なるサーバであってもよい。
ここで、以下では、便宜上、上記ビジュアルコンテンツURLの情報のインターネット３上のロケーションを示すURLを「リンクURL」と称して説明を行う。
【００１７】
また、インターネット３上には、各放送サービスのビジュアルコンテンツのビジュアルコンテンツURLの情報のロケーションを示すリンクURLを提供するRadioDNS５が配置されている。ここで、各放送サービスのビジュアルコンテンツは、たとえば、当該放送サービスに関連するテキストや画像（放送局ロゴや放送中楽曲のアートワーク等）である。
次に、図２に、ラジオ放送受信装置１の構成を示す。
図示するように、ラジオ放送受信装置１は、移動通信を行う移動通信装置１１１、放送局２からDABを受信し受信した音声を出力するDABチューナ１１２、放送局２からFM放送を受信し受信した音声を出力するFMチューナ１１３を備えている。
【００１８】
また、ラジオ放送受信装置１は、入力装置１１４、表示装置１１５、記憶装置１１６、DABチューナ１１２とFMチューナ１１３が出力する音声のいずれかを選択し出力するセレクタ１１７、セレクタ１１７が出力する音声を増幅し出力するアンプ１１８、アンプ１１８が出力する音声信号で駆動され音声を出力するスピーカ１１９、以上のラジオ放送受信装置１の各部を制御する制御部１２０を備えている。
【００１９】
次に、図３に、本実施形態において記憶装置１１６に格納するサイマル放送管理テーブルを示す。
図示するようにサイマル放送管理デーブルには、DABのサービスの識別を示すDAB識別情報、FM放送のステーションの識別を示すFM放送識別情報、ビジュアルコンテンツURL、更新日時を登録するエントリ（図の各行）を複数設けることができる。
【００２０】
ここで、同じエントリのDAB識別情報とFM放送識別情報は、相互のサイマル放送の関係にあるDABのサービスとFM放送のステーションの識別を表している。また、ビジュアルコンテンツURLは、同じエントリのDAB識別情報が示すDABのサービスまたは同じエントリのFM放送識別情報が示すFM放送のステーションのビジュアルコンテンツのインターネット上（プロバイダサーバ４上）のロケーションを示すビジュアルコンテンツURLを表している。また、更新日時は、そのエントリが更新された日時を表している。
【００２１】
ここで、DAB識別情報としては、DABのサービスの国コード、アンサンブル識別子EID、サービス識別子SID 、サービスコンポーネント識別子SIDSなどを用いることができる。また、FM放送識別情報としてはFM放送のステーションの国コード、プログラム識別子PI、周波数を用いることができる。なお、FM放送識別情報には、必ず、プログラム識別子PIを含めるようにする。
【００２２】
さて、このようなラジオ放送受信装置１において、制御部１２０は、ユーザから特定のDABのサービスの受信を指示されると、受信を指示されたDABのサービスを受信対象放送に設定し、DABチューナ１１２に受信対象放送の受信を開始させると共に、セレクタ１１７にDABチューナ１１２が出力する音声を選択させることにより、受信対象放送で受信した音声をスピーカ１１９から出力する。また、制御部１２０は、ユーザから特定のFM放送のステーションの受信を指示されると、受信を指示されたFM放送のステーションを受信対象放送に設定しFMチューナ１１３に受信対象放送の受信を開始させると共に、セレクタ１１７にFMチューナ１１３が出力する音声を選択させることにより、受信対象放送で受信した音声をスピーカ１１９から出力する。
【００２３】
ここで、DABチューナ１１２がDABのサービスで受信するサービスリンキング情報は、プログラム（番組）毎に、そのプログラムを放送している、相互にサイマル放送の関係にあるDABのサービスとFM放送のステーションの識別を示す。
【００２４】
また、DABのサービスで放送される内容と、当該サービスのＳＩＤと一致するＰＩのプログラムを放送しているFM放送のステーションは、サイマル放送の関係にあり、同内容のプログラム（番組）を放送している。なお、FM放送のステーションのＰＩは、FM放送のステーションから放送されるＲＤＳによって当該FM放送の音声と共にFMチューナ１１３によって受信される。
【００２５】
また、FM放送のＲＤＳで受信するＡＦリストは、同じＰＩのプログラムを放送している他のFM放送の周波数を示す。
次に、制御部１２０は、移動通信装置１１１を介してRadioDNS５にアクセスして、所望の放送サービス（DABのサービスまたはFM放送のステーション）のビジュアルコンテンツのビジュアルコンテンツURLの情報のロケーションを示すリンクURLを取得すると共に、取得したリンクURLから当該所望の放送サービスのビジュアルコンテンツのビジュアルコンテンツURLの情報を取得することができる。
【００２６】
但し、RadioDNS５は、全ての放送サービスについてはリンクURLを提供しておらず、リンクURLが放送サービスの識別情報に対応づけてRadioDNS５に予め登録されている放送サービスについてのみ、当該放送サービスのビジュアルコンテンツのビジュアルコンテンツURLの情報のロケーションを示すリンクURLを提供する。
【００２７】
すなわち、ラジオ放送受信装置１は、一部の放送サービスについては、制御部１２０は、RadioDNS５から、当該放送サービスのビジュアルコンテンツのビジュアルコンテンツURLの情報のロケーションを示すリンクURLを取得することができない。
【００２８】
さて、制御部１２０は、DABのサービスが受信対象放送に設定されている期間中、DABフォロー処理を行う。
図４に、このDABフォロー処理の手順を示す。
図示するように、制御部１２０は、DABフォロー処理において、DABチューナ１１２におけるDABの受信品質の劣化を監視する（ステップ４０２）。
そして、受信品質が劣化したならば、DABチューナ１１２で受信中の受信対象放送であるDABのサービスとサイマル放送の関係にあり、かつ、受信可能な他のDABのサービスが存在するかどうかを調べ（ステップ４０４）、存在する場合には、受信可能な他のDABのサービスに受信対象放送を切り替えて、DABチューナ１１２に受信対象放送の受信を開始させることにより、切り替え後の受信対象放送で受信した音声をスピーカ１１９から出力する（ステップ４０６）。そして、ステップ４０２からの処理に戻る。
【００２９】
ここで、受信対象放送であるDABのサービスとサイマル放送の関係にある他のDABのサービスは、DABから受信するサービスリンキング情報から識別することができる。また、受信対象放送であるDABのサービスとサイマル放送の関係にある他のDABのサービスの受信状態は、DABチューナ１１２に、DABを受信するチューナを２系統設け、一方のチューナで受信対象放送であるDABのサービスを受信している期間中、他方のチューナをバックグランドで用いて受信対象放送であるDABのサービスとサイマル放送の関係にある他のDABのサービスの受信状態を繰り返しサーチすることにより検出する。
【００３０】
一方、DABチューナ１１２で受信中の受信対象放送であるDABのサービスとサイマル放送の関係にあり、かつ、受信可能な他のDABのサービスが存在しない場合には（ステップ４０４）、受信対象放送であるDABチューナ１１２で受信中のDABのサービスとサイマル放送の関係にあり、かつ、受信可能なFM放送のステーションが存在するかどうかを調べ（ステップ４０８）、存在する場合には、存在したFM放送のステーションのうちで受信状態が最も良好なFM放送のステーションに受信対象放送を切り替え、FMチューナ１１３に受信対象放送の受信を開始させると共に、セレクタ１１７にFMチューナ１１３が出力する音声を選択させることにより、切り替え後の受信対象放送で受信した音声をスピーカ１１９から出力する（ステップ４１０）。そして、DABフォロー処理を終了する。
【００３１】
なお、受信対象放送であるDABチューナ１１２で受信中のDABのサービスとサイマル放送の関係にあるFM放送のステーションの受信状態は、DABのサービスが受信対象放送に設定されている期間中、DABチューナ１１２で受信したサービスリンキング情報が示す受信中のDABのサービスとサイマル放送の関係にある各FM放送のステーションの受信状態のサーチをFMチューナ１１３にバックグランドで繰り返し実行させることにより取得する。
【００３２】
一方、受信対象放送であるDABチューナ１１２で受信中のDABのサービスとサイマル放送の関係にあり、かつ、受信可能なFM放送のステーションが存在しなかった場合には（ステップ４０８）、ステップ４０２からの処理に戻る。
【００３３】
以上、制御部１２０が、DABのサービスが受信対象放送に設定されている期間中行うDABフォロー処理について説明した。
次に、制御部１２０は、FM放送のステーションが受信対象放送に設定されている期間中、FM放送フォロー処理を行う。
図５に、このFM放送フォロー処理の手順を示す。
図示するように、制御部１２０は、FM放送フォロー処理において、受信対象放送であるFMチューナ１１３で受信中のFM放送のステーションとサイマル放送の関係にあり、かつ、受信可能なDABのサービスの発生（ステップ５０２）と、FMチューナ１１３におけるFM放送の受信品質の劣化の発生（ステップ５０４）とを監視する。
【００３４】
ここで、受信対象放送であるFMチューナ１１３で受信中のFM放送のステーションとサイマル放送の関係にあるDABのサービスは、受信中のFM放送のステーションのPIと等しいSIDのDABのサービスとして識別するようにしてもよいし、DABで受信したサービスリンキング情報に基づいて識別するようにしてもよい。
【００３５】
また、受信対象放送であるFMチューナ１１３で受信中のFM放送のステーションとサイマル放送の関係にあるDABのサービスの受信状態は、FM放送のステーションが受信対象放送に設定されている期間中、受信中のFM放送のステーションとサイマル放送の関係にある各DABのサービスの受信状態のサーチをDABチューナ１１２にバックグランドで繰り返し実行させることにより取得する。
【００３６】
そして、受信対象放送であるFMチューナ１１３で受信中のFM放送のステーションとサイマル放送の関係にあり、かつ、受信可能なDABのサービスが発生した場合には（ステップ５０２）、受信中のFM放送のステーションとサイマル放送の関係にある受信状態が最も良好なDABのサービスに受信対象放送を切り替え（ステップ５１０）、DABチューナ１１２に受信対象放送の受信を開始させると共に、セレクタ１１７にDABチューナ１１２が出力する音声を選択させることにより、切り替え後の受信対象放送で受信した音声をスピーカ１１９から出力する。そして、FM放送フォロー処理を終了する。
【００３７】
一方、FMチューナ１１３におけるFM放送の受信品質の劣化が発生した場合には（ステップ５０４）、FMチューナ１１３で受信中の受信対象放送であるFM放送のステーションとサイマル放送の関係にあり、かつ、受信可能な他のFM放送のステーションが存在するかどうかを調べ（ステップ５０６）、存在する場合には、受信可能な他のFM放送のステーションに受信対象放送を切り替えて、FMチューナ１１３に受信対象放送の受信を開始させることにより、切り替え後の受信対象放送で受信した音声をスピーカ１１９から出力する（ステップ５０８）。そして、ステップ５０２からの処理に戻る。
【００３８】
ここで、受信対象放送である受信対象放送であるFM放送のステーションとサイマル放送の関係にある他のFM放送のステーションは、受信対象放送であるFM放送のステーションから受信するＡＦリストから識別することができる。
【００３９】
また、受信対象放送であるFM放送のステーションとサイマル放送の関係にある他のFM放送のステーションの受信状態は、たとえば、FMチューナ１１３に、FM放送を受信するチューナを２系統設け、一方のチューナで受信対象放送であるFM放送のステーションを受信し、他方のチューナをバックグランドで用いて、受信対象放送であるFM放送のステーションとサイマル放送の関係にある他のFM放送のステーションの受信状態を繰り返しサーチすることにより検出する。
【００４０】
一方、FMチューナ１１３で受信中の受信対象放送であるFM放送のステーションとサイマル放送の関係にあり、かつ、受信可能な他のFM放送のステーションが存在しない場合には（ステップ５０６）、ステップ５０２からの処理に戻る。
【００４１】
以上、制御部１２０が、FM放送のステーションが受信対象放送に設定されている期間中行うFM放送フォロー処理について説明した。
次に、制御部１２０が、受信中の放送サービス（DABのサービスまたはFM放送のステーション）に関わるビジュアルコンテンツを表示するために行うビジュアルコンテンツ表示処理について説明する。
【００４２】
図６に、このビジュアルコンテンツ表示処理の手順を示す。
図示するように、制御部１２０は、ビジュアルコンテンツ表示処理において、受信対象放送の変化の発生を監視する（ステップ６０２）。
そして、受信対象放送が変化したならば（ステップ６０２）、現在行っているビジュアルコンテンツの取得と表示装置１１５への表示を停止する（ステップ６０４）。
【００４３】
次に、移動通信装置１１１を介してRadioDNS５に、受信対象放送の変化後に受信対象放送として受信している放送サービス（DABのサービスまたはFM放送のステーション）の識別情報を含む問い合わせを送り、当該放送サービスに対応するリンクURLLの取得を試みる（ステップ６０６）。
【００４４】
ここで、問い合わせを受けたRadioDNS５は、問い合わせに含まれる放送サービスの識別情報に対応づけられたリンクURLがRadioDNS５に登録されていれば、当該リンクURLをラジオ放送受信装置１に応答し、登録されていない場合にはリンクURLをラジオ放送受信装置１に応答しない。
【００４５】
そして、RadioDNS５からリンクURLを取得できた場合には（ステップ６０８）、取得したリンクURLにアクセスしてビジュアルコンテンツURLの情報を入手し、当該情報からビジュアルコンテンツURLを取得する。そして、サイマル放送管理テーブルの、ステップ６０２で検出した受信対象放送の変化後に受信対象放送として受信している放送サービス（DABのサービスまたはFM放送のステーション）の識別情報（DAB識別情報またはFM放送識別情報）が登録されているエントリに、取得したビジュアルコンテンツURLを登録し、当該エントリの更新日時を更新する（ステップ６１０）。なお、ステップ６１０実行時に、ステップ６０２で検出した受信対象放送の変化後に受信対象放送として受信している放送サービスの識別情報が登録されているエントリがサイマル放送管理テーブルに存在しない場合には、当該放送サービスの識別情報を登録したエントリをサイマル放送管理テーブルに作成した上で、作成したエントリに取得したビジュアルコンテンツURLを登録し、当該エントリの更新日時を更新する。
【００４６】
そして、次に、制御部１２０は、取得したビジュアルコンテンツURLからのビジュアルコンテンツの取得と表示装置１１５への表示を開始する（ステップ６１２）。
【００４７】
そして、ステップ６０２からの処理に戻る。
一方、ステップ６０６で試みたRadioDNS５からのリンクURLの取得に失敗した場合には（ステップ６０８）、ステップ６０２で検出した受信対象放送の変化後に受信対象放送として受信している放送サービス（DABのサービスまたはFM放送のステーション）の識別情報（DAB識別情報またはFM放送識別情報）が登録されているエントリであって、ビジュアルコンテンツURLが登録されているエントリが、サイマル放送管理テーブルに存在するかどうかを調べ（ステップ６１４）、存在しない場合には、ステップ６０２からの処理に戻る。
【００４８】
一方、当該エントリが存在した場合には、当該エントリに登録されているビジュアルコンテンツURLをサイマル放送管理テーブルから取得する（ステップ６１６）。
そして、サイマル放送管理テーブルから取得したビジュアルコンテンツURLからのビジュアルコンテンツの取得と表示装置１１５への表示を開始する（ステップ６１２）。
そして、ステップ６０２からの処理に戻る。
以上、制御部１２０が行うビジュアルコンテンツ表示処理について説明した。
次に、制御部１２０が行うサイマル放送登録処理について説明する。
図７に、サイマル放送登録処理の手順を示す。
図示するように、制御部１２０は、サイマル放送登録処理において、制御部１２０は、受信対象放送の変化の発生を監視し（ステップ７０２）、受信対象放送が変化したならば、当該受信対象放送の変化が上述したDABフォロー処理による、受信対象放送のDABのサービスからFM放送のステーションへの切り替えによるものであるかどうかを判定する（ステップ７０４）。
【００４９】
そして、受信対象放送の変化が上述したDABフォロー処理による、受信対象放送のDABのサービスからFM放送のステーションへの切り替えによるものであれば（ステップ７０４）、サイマル放送管理テーブルの、ステップ７０２で検出した受信対象放送の変化前に受信対象放送であったDABのサービスのDAB識別情報が登録されているエントリに、変化後の受信対象放送であるFM放送のステーションの識別をFM放送識別情報として登録すると共に、当該エントリの更新日時を現在日時に更新する（ステップ７０８）。ここで、ステップ７０８では、ステップ７０８実行時に、受信対象放送の変化前に受信対象放送であったDABのサービスのDAB識別情報が登録されているエントリが存在しなかった場合には、サイマル放送管理テーブルに当該DABのサービスのDAB識別情報を登録したエントリを作成した上で、作成したエントリに変化後の受信対象放送であるFM放送のステーションの識別をFM放送識別情報として登録すると共に、当該エントリの更新日時を現在日時に更新する。
【００５０】
そして、ステップ７０２からの処理に戻る。
一方、受信対象放送の変化が上述したDABフォロー処理による、受信対象放送のDABのサービスからFM放送のステーションへの切り替えによるものでなければ（ステップ７０４）、受信対象放送の変化が上述したFM放送フォロー処理による、受信対象放送のFM放送のステーションからDABのサービスへの切り替えによるものであるかどうかを調べ（ステップ７０６）。そして、FM放送フォロー処理による、受信対象放送のFM放送のステーションからDABのサービスへの切り替えによるものでなければ（ステップ７０６）、ステップ７０２からの処理に戻る。
【００５１】
一方、信対象放送の変化が上述したFM放送フォロー処理による、受信対象放送のFM放送のステーションからDABのサービスへの切り替えによるものである場合には（ステップ７０６）、サイマル放送管理テーブルの、ステップ７０２で検出した受信対象放送の変化前に受信対象放送であったFM放送のステーションのFM放送識別情報が登録されているエントリに、変化後の受信対象放送であるDABのサービスの識別をDAB識別情報として登録すると共に、当該エントリの更新日時を現在日時に更新する（ステップ７１０）。ここで、ステップ７１０では、ステップ７１０実行時に、受信対象放送の変化前に受信対象放送であったFM放送のステーションのFM放送識別情報が登録されているエントリが存在しなかった場合には、サイマル放送管理テーブルに当該FM放送のステーションのFM放送識別情報を登録したエントリを作成した上で、作成したエントリに変化後の受信対象放送であるFM放送のステーションの識別をFM放送識別情報として登録すると共に、当該エントリの更新日時を現在日時に更新する。
【００５２】
そして、ステップ７０２からの処理に戻る。
以上、制御部１２０が行うサイマル放送登録処理について説明した。
以下、このようなラジオ放送受信装置１の動作例を図８に示す。
いま、ラジオ放送受信装置１において、時刻ｔ０においてDABのサービスが受信対象放送に設定されると、DABのサービスの受信とDABのサービスから受信した音声の出力が開始されると共に、RadioDNS５からの受信中のDABのサービスのリンクURLの取得が試みられる。そして、リンクURLの取得に成功したならば、取得したリンクURLからビジュアルコンテンツURLの情報の取得と、取得した情報が示すビジュアルコンテンツURLからのビジュアルコンテンツの取得と表示装置１１５への表示が開始されると共に、サイマル放送管理テーブルの、受信中のDABのサービスのDAB識別情報が登録されたエントリに、RadioDNS５から取得したリンクURLから入手した情報が示すビジュアルコンテンツURLが登録される。
【００５３】
そして、その後、時刻ｔ１でDABのサービスの受信品質が劣化し、受信対象放送が、それまで受信していたDABのサービスとサイマル放送の関係にあるFM放送のステーションに切り替わると、FM放送のステーションの受信とFM放送のステーションから受信した音声の出力が開始されると共に、サイマル放送管理テーブルの、切り替わり前の受信対象放送であるDABのサービスの識別がDAB識別情報として登録されているエントリに、切り替わり後の受信対象放送であるFM放送のステーションの識別がFM放送識別情報として登録される。
【００５４】
そして、次に、RadioDNS５からの受信中のFM放送のステーションのリンクURLの取得が試みられる。ここでは、RadioDNS５が受信中のFM放送のステーションのリンクURLを提供していないため、当該リンクURLの取得は失敗する。
【００５５】
そして、ラジオ放送受信装置１は、RadioDNS５からのリンクURLの取得に失敗したならば、サイマル放送管理テーブルの、受信しているFM放送のステーションの識別がFM放送識別情報として登録されているエントリからビジュアルコンテンツURLが取得し、サイマル放送管理テーブルから取得したビジュアルコンテンツURLからのビジュアルコンテンツの取得と表示装置１１５への表示が開始される。
【００５６】
結果、RadioDNS５がリンクURLを提供していないFM放送のステーションの受信出力中は、当該FM放送のステーションとサイマル放送の関係にあるDABのサービスに関連するビジュアルコンテンツが取得され表示される。ここで、FM放送のステーションサイマル放送の関係にあるDABのサービスに関連するビジュアルコンテンツは、当該DABのサービスと同内容の放送である当該DABのサービスとサイマル放送の関係にあるFM放送のステーションにも関連するビジュアルコンテンツである。
【００５７】
よって、本実施形態によれば、RadioDNS５がビジュアルコンテンツURLの情報のURLであるリンクURLを提供していない放送サービスの受信出力中にも、当該放送サービスに関連するビジュアルコンテンツを取得し表示することができるようになる。
【００５８】
以上、本発明の実施形態について説明した。
ところで、以上の実施形態においては、受信対象放送として受信中の放送サービスの識別情報が登録されたサイマル放送管理テーブルのエントリを、当該放送サービスのサイマル放送の関係のない放送サービスに受信対象放送が切り替えられたときに、削除または無効化するようにしてもよい。
【００５９】
また、以上の実施形態において、図６に示したビジュアルコンテンツ表示処理は、ステップ６０２で検出した受信対象放送が変化がFM放送のステーションへの受信対象放送の切替であった場合には、現在行っているビジュアルコンテンツのプロバイダサーバ４からの取得と表示装置１１５への表示を停止した後（ステップ６０４）、無条件に、ステップ６１４に進む処理としてもよい。すなわち、FM放送のステーションの受信中は、サイマル放送管理テーブルに登録されているビジュアルコンテンツURLのみをビジュアルコンテンツの取得に用いるようにしてもよい。
プロバイダサーバ
【符号の説明】
【００６０】
１…ラジオ放送受信装置、２…放送局、３…インターネット、４…プロバイダサーバ、５…RadioDNS、１１１…移動通信装置、１１２…DABチューナ、１１３…FMチューナ、１１４…入力装置、１１５…表示装置、１１６…記憶装置、１１７…セレクタ、１１８…アンプ、１２０…制御部、１１９…スピーカ。
【図１】
2018125781.tif 000003
【図２】
2018125781.tif 000004
【図３】
2018125781.tif 000005
【図４】
2018125781.tif 000006
【図５】
2018125781.tif 000007
【図６】
2018125781.tif 000008
【図７】
2018125781.tif 000009
【図８】
2018125781.tif 000010